Podtech/llm-jp-corpus-v4-ja_patent huggingface dataset:
(57)【要約】      （修正有）【課題】着脱性に優れ、ベルトの損傷、消耗を極力防止でき、安全で、環境にやさしい衣服用ベルトバックルを提供する。【解決手段】装着の際にベルト先端部がフレーム１本体を挿通し、ベルト表側の位置でフレーム１先端下部の突起部２で掛止することで、腹部に接触することなく装着可能にする。【選択図】図２
0003225535.tif 000002
【実用新案登録請求の範囲】
【請求項１】
ベルト先端部がフレームを挿通、ベルト表側の位置でフレーム先端下部の突起部で掛止する衣服用ベルトバックル。
【請求項２】
トップ式バックルの特徴を備えながら、ピン付バックル（形状は特許文献１参照）に類似した外観を有するベルト用バックルの形状。
【考案の詳細な説明】
【技術分野】
【０００１】  本考案は、衣服の着用時に使用するベルトのバックル（以下、衣服用ベルトバックルという。）に関するものである。
【背景技術】
【０００２】  従来、ベルトの一端を取付ける軸部を備えたフレームと、前記軸部に対して回動可能に取付けられる留金を備えた衣服用ベルトバックル（以下ピン付バックルという）は、装着、取外しの際に、留金を調節用穴に対して係脱するためにベルトの先端を強く屈曲し、更に留金をベルト掛止穴から取外すために強く引っ張らなければならないものであった。【０００３】  ベルトの表面は非常に傷がつきやすい上に、予め所定間隔で掛止穴が形成されていて更に耐久性が低下いていることから、長期に亘って使用すると前記したような屈曲や引張り操作によって、ベルトは摩耗し、傷や亀裂、割れ等といった不都合を生じる事が多かった。【０００４】  また上記のように、ベルトの先端を強く屈曲し、更に留金をベルト掛止穴から取外すために強く引っ張る操作は、ベルトを外す際においても非常に手間であった。【０００５】  このような不都合を解消しようとするものとしてトップ式バックル（形状は図１参照）があるが本考案はトップ式バックルの特徴を備えながら、ピン付バックル（形状は特許文献１参照）に類似した外観を有するベルト用バックルを提供しようとするものである。【０００６】
【特許文献１】実願平１０−００６２８５号広報
【特許文献２】実願昭６０−２２９１２号広報
【考案の概要】
【考案が解決しようとする課題】
【０００７】  トップ式バックルは、例えば図１に表すようにバックル本体ａの裏面に、ベルトｃに設けた掛止穴に挿脱可能に挿入してベルトｃを留めることのできる突起部ｂと、ベルトｃを挿通してバックルの横幅よりベルトｃがずれ出ないように保持する枠ｄとを、バックル本体ａの両端に設けた構造を備えている。【０００８】  但し、トップ式バックルは装着する際に、ベルト先端部ｅを枠ｄに挿通させるため、ベルト先端部ｅが腹部に接触した状態でバックル本体の裏側から引張り突起部ｂを掛止穴に挿入する操作となり、非常に手間であった。【０００９】  一方、上記特許文献２（図３、図４）に係る衣服用ベルトバックルはベルト先端部がピン付バックルと同様、フレーム裏面ではなく本体を挿通する構造ではあるが、ベルト掛止穴を引掛る突起部をベルト支持部に設けた構造であり、軸部にあたる位置でベルトを引張りながら掛止穴を突起部に合わせて押込む操作は手間が掛り安定性に問題がある。【００１０】  本考案のバックルは、ベルトの損傷、消耗を極力防止でき、安全で、環境にやさしく、着脱性に優れた衣服用ベルトバックルを提供することを課題とするものである。
【課題を解決するための手段】
【００１１】  装着の際にベルト先端部がフレーム本体を挿通し、ベルトの表面側に位置することで、腹部に接触することなく装着可能にすることを特徴とする衣服用ベルトバックルを、課題を解決するための手段とする。
【考案の効果】）【００１２】  ベルト先端部がフレーム本体を挿通することで、装着の際にベルト先端部が腹部に接触することを防ぎ、なおかつ、掛止穴に突起部を挿入する操作はトップ式になるため、先端部を強く湾曲させることなく、容易に脱着動作を行うことができる。よって、ベルトの摩耗、傷や亀裂、割れ等といった不都合を改善することができる。
【図面の簡単な説明】
【００１３】
【図１】本考案の実施例に係るトップ式ベルトの掛止状態を表す斜視図である。
【図２】本考案の実施例に係る衣服用ベルトバックルを備えたベルトを表す斜視図である。
【図３】本考案の実施例に係る衣服用ベルトバックルの掛止状態を表す斜視図である。
【考案を実施するための形態】
【００１４】  本考案はベルト先端部がフレームを挿通、ベルト表側の位置でフレーム先端の突起部で掛止することで、トップ式ベルトバックルの特徴であるベルトの端部を湾曲させず装着できる操作性を備えながら、ベルト先端が腹部に接触する不都合を解決したものである。よって、ベルトの損傷、摩耗を極力防止し、脱着操作性に非常に優れた衣服用ベルトバックルを提供する目的を達成した。
【実施例】
【００１５】  図１は本考案の実施例に係る衣服用ベルトバックルの掛止状態を表す斜視図３と比較するため用いたものである。図１ではベルト先端部ｅがフレームａの裏面で枠ｄを挿通してベルトｃの裏面に位置することがわかる。しかし、本考案の実施例である図３ではベルト先端部７がフレーム１を挿通し、ベルト５の表面で掛止状態となり、トップ式バックルの特徴を備えながら、ピン付バックルに類似した外観を有することができる。
【符号の説明】
【００１６】ａ  フレーム
ｂ  突起部
ｃ  ベルト
ｄ  枠
１  フレーム
２  突起部
３  軸部
４  遊革
５  ベルト
６  掛止穴
７  ベルト先端
【図１】
0003225535.tif 000003
【図２】
0003225535.tif 000004
【図３】
0003225535.tif 000005
【手続補正書】
【提出日】令和1年12月18日(2019.12.18)
【手続補正１】
【補正対象書類名】実用新案登録請求の範囲
【補正対象項目名】全文
【補正方法】変更
【補正の内容】
【実用新案登録請求の範囲】
【請求項１】
ベルト先端部がフレームを挿通、ベルト表側の位置でフレーム先端下部の突起部で掛止する衣服用ベルトバックル。
(57)【要約】      （修正有）【課題】補助ブレーキレバーを簡単に取り付けられる自転車のブレーキ装置。【解決方法】前輪もしくは後輪のブレーキ装置に、連動する二列のブレーキケーブルの取付け機能を設ける。アジャスターを二列と３、インナーケーブルの固定側のブレーキアーム４を二列設け、一列はメインブレーキケーブル７結合とし、他はサブブレーキケーブル８結合とし、サブブレーキレバー５を必要とする場所に取付ける。【選択図】図１
0003225540.tif 000002
【実用新案登録請求の範囲】
【請求項１】
複数の操作源を持つ自転車のブレーキ装置であって、前輪もしくは後輪のブレーキ装置のアジャスター側ブレーキアームに一列分増設された二列のアジャスターと、インナーケーブル固定側ブレーキアアームに一列分増設された二列のインナーケーブル固定部と、を具備し、前記二列に各々メインブレーキケーブルとサブブレーキケーブルを結合し、サブブレーキレバーを必要とする場所に取付ける事を特徴とする自転車のブレーキ装置。
【請求項２】
前記アジャスター増設は、前記アジャスター側ブレーキアームにアジャスター取付け座を設け、増設用アジャスターを結合する事と、前記インナーケーブル固定部の増設は、前記インナーケーブル固定側ブレーキアームに増設用ケーブル固定板と既設のケーブル固定板の重ね合わせとする事を、特徴とする請求項１に記載の自転車のブレーキ装置。
【考案の詳細な説明】
【技術分野】
【０００１】  自転車のブレーキ装置に関する。
【背景技術】
【０００２】  自転車のハンドルは、握る位置が運転状態で変えられる種類がある。ドロップハンドルや延長バーなどであるが、メインブレーキレバーから手が離れているのでとっさの場合対応が遅れる。その対策として運転者の必要な場所にサブブレーキレバーを新設出来れば良い。ドロップハンドルにはハンドルのフラット部に取り付けられるサブブレーキレバーがあるが、メインブレーキケーブルのアウター部を切断し設置する事により取り付け場所が限定される。延長バー相当のハンドルに対応可能なサブブレーキレバーも文献１に出願されているがケーブルがメインブレーキレバーと直列結合され取付け場所も限定されている。
【文献１】
特開平１−１３２４８８
【考案の開示】
【考案が解決しようとする課題】
【０００３】  正規のブレーキレバーの他に好きな場所にサブブレーキレバーを簡単に取付け出来る事が課題である。
【課題を解決するための手段】
【０００４】  前輪もしくは後輪のブレーキ装置に連動する二列のブレーキケーブルの取付け機能を設ける。アジャスターを二列と、インナーケーブルの固定部を二列設け、一列は正規のブレーキケーブル結合とし、他はサブブレーキケーブル結合とし、サブブレーキレバーを必要とする場所に取り付ける。【０００５】  アジャスター増設手段はアジャスター側ブレーキアームにアジャスター取付け座を設け増設用アジャスターを結合する事と、インナーケーブル固定部の増設手段はインナーケーブル固定側ブレーキアームにケーブル固定板の重ね合わせとする事により解決する。
【考案の効果】
【０００６】  二列のブレーキケーブルはメインブレーキケーブルを加工しないので、サブブレーキレバー設備の取付け取り外しが簡単である。例えばドロップハンドル用のサブブレーキレバーが運転技能の上達により不要になる場合や、延長バーの仕様変更の場合に非常に有利である。このサブブレーキにより運転の疲労が減少し安全性能も増す。【０００７】  ブレーキアームに二列のアジャストとインナーケーブル固定部を作ればサブブレーキの取付け取り外しが簡単であるが、不要な時もある。従ってブレーキアームにアジャスター取り付け座を設け、必要な時に増設アジャスターを結合する。インナーケーブル固定部も固定板の増設とすれば不要な時には一列分の設備に戻すことができる。
【考案を実施するための最良の形態】
【０００８】  以下図１図２において実施形態の一例を示す
図１はブレーキ装置周辺を簡単に表わした図で、１はタイヤ２がリムでブレーキアームのアジャスター側３とケーブル固定側４によりリム２をパットで押さえてブレーキをかける。ブレーキアームの３、４は各々アウターケーブル調整用アジャスターと、インナーケーブル固定装置が二列設置されている。９はドロップハンドルで正規のドロップハンドル用ブレーキレバー６が取り付けてある。５はサブブレーキレバーである。レバー５又は６を締めると力がケーブル８又は７を伝わり、アジャスターとケーブル固定装置に作用し、アーム４と３がリム２を押さえブレーキがかかる。サブブレーキレバー５を必要とする場所に取り付ける。これによりメインブレーキレバーとサブブレーキレバーによるブレーキ操作が可能である。【０００９】  図２はサブブレーキケーブルの増設手段で増設アジャスター１１と増設インナーケーブル固定部１２を表している。アジャスター用ブレーキアーム３にアジャスター取付け座を設け増設アジャスターを結合し、増設インナーケーブルは従来のインナーケーブル固定板に増設インナーケーブ固定板１２を重ねて結合してある。
【図面の簡単な説明】
【００１０】
【図１】は二列のブレーキケーブルを持つブレーキ装置の概略図である。
【図２】は増設アジャスターと増設固定板の概略図である。
【符号の説明】
【００１１】１    自転車のタイヤ
２    自転車のリム
３    ブレーキケーブルのアジャスター側のブレーキアーム
４    インナーケーブル固定側のブレーキアーム
５    サブブレーキレバー
６    ドロップハンドル用メインブレーキレバー
７    メインブレーキケーブル
８    サブブレーキケーブル
９    ドロップハンドル
１１  増設アジャスター
１２  増設固定板
【図１】
0003225540.tif 000003
【図２】
0003225540.tif 000004
(57)【要約】      （修正有）【課題】杖を必要とする腰痛がひどい人や高齢者が、安心して楽に持ち運びが出来るショルダーバッグを提供する。【解決手段】肩かけベルト２を有するショルダーバッグの裏面１の上下に円状のリング３を設け、リングに杖を差し込み、ショルダーバッグと杖を安定するようにした。【選択図】図１
0003225534.tif 000002
【実用新案登録請求の範囲】
【請求項１】
肩かけベルトを有するショルダーバッグの裏面の上下に円状のリングを設け、前記リングに杖を差し込み、ショルダーバッグと杖を安定させるようにした。杖と一体型のショルダーバッグ。
【考案の詳細な説明】
【技術分野】
【０００１】  本考案は、腰、首が悪い人はバッグを持てないし、例えショルダーバッグを肩に掛けたとしても非常に苦痛であり、バッグを持っての買物、旅行、日常生活を送るのが困難であるのが現状である。ショルダーバッグを腰が悪い人が楽に持てるにはどうすればよいかを考えたものである。
【背景技術】
【０００２】  杖が必要な腰痛がひどい人は、小さな荷物を手に持つことさえ苦痛であり、ショルダーバッグを肩に担ぐと腰痛がさらに悪くなり、痛みは取れない。杖が必要な人は手に持てない、肩にバッグを掛けれないため、旅行も行けないでいる。これをどうにか出来ないか考えたものである。
【考案の概要】
【考案が解決しょうとする課題】
【０００３】  これは、次のような欠点があった。
従来、ショルダーバッグは健常者のみが使用するという概念で製造、販売されており、杖を必要とする人、腰痛でバッグが欲しいのに、肩に掛けることが出来ない人のために作ろうという考えは全くなかった。本考案は、以上のような欠点を無くすためになされたものであり、杖が必要な人を対象に、ショルダーバッグを安全に安心して、容易に持ち歩けるためになされた考案である。
【課題を解決するための手段】
【０００４】  本考案の杖と一体型のショルダーバッグは請求項１と同じ、肩かけベルトを有するショルダーバッグの裏面の上下に円状のリングを設け、前記リングに杖を差し込みショルダーバッグを安定させるようにした。
【考案の効果】
【０００５】  請求項１記載の考案は、ショルダーバッグを杖に掛ける器具であって、ショルダーバッグ裏面上下１、２に円のリングを取付け、腰痛等により体力のない杖を必要とする人がそのショルダーバッグのリングに杖を差し込み、握り手部分の中央にショルダーバッグの肩掛けベルトを掛け、ショルダーバッグは地上に近くすることにより、杖を持ち歩く際、楽に杖があがりショルダーバッグの重さが軽く感じられる。無理なく杖を動かすことが出来、旅行、日常生活に使用すれば全てが上手くいく。新しいタイプのショルダーバッグである。
【考案を実施するための形態】
【０００６】  以下、本考案の実施の形態を図面に基づき詳細に説明する。
【０００７】  図１は、本考案のショルダーバッグの裏面の上下にリングを取付けたもの。図２は、本考案の小型ショルダーバッグ裏面の上下にリングを取付けたもの。  図３は、本考案のショルダーバッグ２種類の裏面の上下にリングを取付けたものに杖を差し込んだ状態、本考案のショルダーバッグは、図１、２のバッグのリングに杖を差し込み、杖の取手に肩かけベルトを乗せ使用するものであり、使い方は図１、２と同じである。
【図面の簡単な説明】
【０００８】
【図１】本考案のショルダーバッグの裏面の上下に、円のリングを取付けた斜視図である。
【図２】本考案の小型ショルダーバッグの裏面の上下に、円のリングを取付けた斜視図である。
【図３】本考案のショルダーバッグ２種類の裏面の上下に、円のリングを取付けたものに杖を差し込んだ斜視図である。
【実施例】
【０００９】  具体的には、ショルダーバッグ裏面の上下２か所の円のリングを取付け、杖をショルダーバッグの上から下に差し込み、肩ベルトは極力長くし、ショルダーバッグ本体はなるべく杖も下部に来るようにし、杖の取っ手中央には肩ベルトを乗せ、手で杖とベルトを一緒に握り歩行することにより、杖をつきショルダーバッグを背中と首で抱えていた時とは違い、ショルダーバッグが軽く感じられる。旅行や日常生活が楽になる。以上が本考案に係る杖と一体型ショルダーバッグの構成の説明であり、本考案の大きな特徴といえる。【０００１０】  本考案に係る杖一体型のショルダーバッグは、ショルダーバッグ裏面上下に円のリング１、２から構成される。
【実施例１】  以下、図面に従って実施例を説明する。まず、図３の図面を見ると杖にショルダーバッグをそれぞれ取付けると肩、首で抱えていた時とは違い、ショルダーバッグが軽くなり、ショルダーバッグの重りを気にせずに歩ける。本考案の大きな特徴といえる。
【考案の効果】
このような杖一体のショルダーバッグは、今までになかったバッグである。
【符号の説明】
【０００１０】１  ショルダーバッグ裏面
２  肩かけベルト
３  円のリング
【図１】
0003225534.tif 000003
【図２】
0003225534.tif 000004
【図３】
0003225534.tif 000005
【手続補正書】
【提出日】令和1年12月16日(2019.12.16)
【手続補正１】
【補正対象書類名】実用新案登録請求の範囲
【補正対象項目名】全文
【補正方法】変更
【補正の内容】
【実用新案登録請求の範囲】
【請求項１】
肩かけベルトを有するショルダーバッグの裏面の上下に円状のリングを設け、前記リングに杖を差し込み、ショルダーバッグと杖を安定するようにした、杖と一体型のショルダーバッグ。
(57)【要約】      （修正有）【課題】ベスト着用時の肩と腕の寒さを軽減する衣服を提供する。【解決手段】Ｔシャツに使用されるような伸縮生地を使用した襟生地１・前身頃生地３・後身頃生地と、暖かい裏起毛生地を使用したラグラン袖生地２を縫い合わせ、肩や腕の寒さを軽減する。【選択図】図１
0003225532.tif 000002
【実用新案登録請求の範囲】
【請求項１】
袖部分のみに裏起毛素材を使用し、肩と腕の寒さを軽減したベスト用カットソー。
【考案の詳細な説明】
【技術分野】
【０００１】  本考案は、ベスト着用時の肩と腕の寒さを軽減するカットソーに関するものである。
【背景技術】
【０００２】  従来、ベストのインナーで、胴と腕の寒暖差を減らす事を目的とし、袖のみに暖かい素材を使用したカットソーはない。
身体の各部位に応じて布の伸縮方向を選択した防寒用インナー着も知られている。（特許文献１参照）。
【先行技術文献】
【特許文献】
【０００３】
【特許文献１】特開平１１−１８９９０１号公報
【考案の概要】
【考案が解決しようとする課題】
【０００４】  ベスト着用のファッションを楽しむ際に、胴体と腕では体感気温に差がある為、ベストの下に着用する洋服選びや体温調整が難しい場合がある。
本考案は、上記の問題点を解決するためになされたものである。
【課題を解決するための手段】
【０００５】  カットソーの袖をラグランスリーブにし、袖のみを裏起毛素材で構成する。
【考案の効果】
【０００６】  ベスト着用時のアームホールから入る冷気による肩の寒さや、袖がない事により生じる腕の寒さを軽減する。
【図面の簡単な説明】
【０００７】
【図１】本考案の正面図
【図２】本考案の側面図
【考案を実施するための形態】
【０００８】  以下、本考案の実施の形態を説明する。
Ｔシャツで使用されるような伸縮生地を使用した襟（１）・前身頃（３）・後身頃（４）と、暖かい裏起毛生地を使用したラグラン袖（２）を縫い合わせる。
本考案は以上のような構造である。
【符号の説明】
【０００９】１  襟生地、２  袖生地、３  前身頃生地、４  後身頃生地
【図１】
0003225532.tif 000003
【図２】
0003225532.tif 000004
【手続補正書】
【提出日】令和1年12月18日(2019.12.18)
【手続補正１】
【補正対象書類名】実用新案登録請求の範囲
【補正対象項目名】全文
【補正方法】変更
【補正の内容】
【実用新案登録請求の範囲】
【請求項１】
Ｔシャツに使用されるような伸縮生地を使用した襟生地・前身頃生地・後身頃生地と、暖かい裏起毛生地を使用したラグラン袖生地を縫い合わせ、肩や腕の寒さを軽減する事を特徴とするベスト用カットソー。
(57)【要約】      （修正有）【課題】印影が傾かないで、均一な濃さに誰でも簡単に押すことができる印鑑の形状を提供する。【解決手段】印鑑本体の途中に突起５を設ける。押印時、親指と人差指、中指で印鑑を保持したときに人差指と中指で突起を挟む事により印鑑の傾きを固定することが出来、人差指が突起の上にくることにより印鑑を垂直に押すことが出来る。【選択図】図４
0003225565.tif 000002
【実用新案登録請求の範囲】
【請求項１】
印鑑の印影の傾きを固定して押印出来ることを特徴とする印鑑の形状
【請求項２】
印鑑の印影の濃淡を起こさないように押印出来ることを特徴とする印鑑の形状
【請求項３】
印鑑を持ち易くして、誰にでも簡単に正確に押印出来る印鑑の形状
【請求項４】
印鑑の押印時、手を机上に置いた状態で手首を動かす事により押印ができ、従来の押印作業より微妙な調整をすることなく、効率よく簡単に押印作業ができる印鑑の形状
【考案の詳細な説明】
【技術分野】
【０００１】本考案は印鑑の中央部分に突起部を設けることにより、印影が傾かないで、均一な濃さの印影を誰でも簡単に押すことが出来る印鑑の形状に関するものである。
【背景技術】
【０００２】従来の印鑑は断面が円、楕円、四角の棒状の形状で、大きな印鑑では途中に段部を設け滑り止めを設けた印鑑の形状や、印影が傾きなく押印できるように上部にマークや溝をつけて目印とした印鑑がある。
【考案の概要】
【考案が解決しようとする課題】
【０００３】印鑑を押した時に印影が傾いてしまったり、印影の濃淡が出来てしまうという問題があり、印鑑を押すときには、傾かないようにする為の位置合わせ、濃淡が出ないように紙に対して垂直に均一に力を入れる必要がある。【０００４】特に、高齢者においては、視力の低下、老眼等により、印影の傾きを合わせる難しさと、指先の動きの悪さにより、印影の傾きなく、綺麗に印鑑を押す事が難しいという問題がある。
【課題を解決するための手段】
【０００５】図１は従来の印鑑を押す時の状況を表したものである。【０００６】印鑑１を親指２と人差指３と中指４で保持し、印鑑の位置関係を調整して、紙に対して垂直になるように３本の指で固定して、真直ぐに紙に押し付けて、印影が均一になるように印鑑を回すように押し付ける。【０００７】このように従来の印鑑を使って押印する時は大きく６つのステップが必要であり、更に微妙な調整が必要であり、これをより少ないステップで微妙な調整もなく簡単に押印出来るようにしたのが本考案である。【０００８】６ステップとは、１、印鑑を握り、２、朱肉に付け、３、位置を確認して合わせる（調整が必要）、４、押印部の上にあわせる（調整が必要）、５、垂直に手を下す（調整が必要）、６、印鑑を均一になるように押し付ける（調整が必要）。【０００９】図２は本考案の実施例を図示したものである。【００１０】本考案では印鑑に突起部が必要であり、印鑑と突起５を一体化した形状６、印鑑に穴を明け、突起部品を挿入（接着、ねじ込み）した形状７、印鑑に突起が付いたリングをはめて固定した形状８、印鑑に突起部を収納できる形状として、必要時に突起を起こして使える形状９が考えられる。【００１１】図３は本考案の印鑑を使って押印する作業を印鑑の真上から見た図である。【００１２】本考案の印鑑１を親指２と人差指３と中指４で保持し、人差指３と中指４で突起５を挟む事により、印鑑１の傾きを固定することができ、人差指３が突起５の上に乗っかるので、人差指３が印鑑１を垂直に押し下げることができる。【００１３】図４は図３の側面図で、印鑑を押す力を解りやすく表現した図である。【００１４】人差指３と中指４で突起５を挟んで印鑑１の傾きを固定し、人差指３が印鑑１を紙に対して垂直に押す力９が働いている。【００１５】図５は図３を下から見た図で、印鑑の傾きの固定を解りやすく表現した図である。【００１６】人差指３と中指４で突起５を挟んで印鑑１の傾きを固定している位置関係が判る。【００１７】図６は本考案の印鑑を使った押印方法を図示したものである。【００１８】本考案の印鑑１を親指２と人差指３と中指４で保持し、手首１０を紙の上に固定して、手首１０を軽く回転する事により、印影の傾きがなく、濃淡の無い印影を押印できる。
【考案の効果】
【００１９】印鑑本体１の途中に突起５を設けることにより、印影の傾きをこの突起５に当たっている人差指３と中指４で制御する事が出来るので、印影の傾きを無くす事が出来ると共に、この突起４に当たっている人差指３で押すことにより均一に印鑑１が押しつけられるので印影の濃淡を解消する事が出来る。【００２０】又、押印時の６つのステップが４つのステップになり、調整が必要なステップが４ステップから１ステップになり、簡単に押印ができる効果があることがわかる。【００２１】４つのステップとは１、印鑑を握り、２、朱肉に付け、３、手首を押印部の近くに置き（調整が必要）、４、押印部に押し付ける。
【図面の簡単な説明】
【００２２】
【図１】従来の印鑑を使った押印の説明図
【図２】本考案の印鑑の実施例
【図３】本考案の印鑑を使う時の真上から見た図
【図４】従来の印鑑を使った押印の説明図
【図５】印鑑の傾きを固定した説明図
【図６】印鑑を押印する力の説明図
【符号の説明】
【００２３】  １、印鑑
２、親指
３、人差指
４、中指
５、突起
６、突起を一体化した形状
７、突起を挿入接着した形状
８、突起が付いたリングを取り付けた形状
９、突起を収納できる形状
１０、垂直に押す力
１１、手首
【図１】
0003225565.tif 000003
【図２】
0003225565.tif 000004
【図３】
0003225565.tif 000005
【図４】
0003225565.tif 000006
【図５】
0003225565.tif 000007
【図６】
0003225565.tif 000008
【手続補正書】
【提出日】令和1年12月25日(2019.12.25)
【手続補正１】
【補正対象書類名】実用新案登録請求の範囲
【補正対象項目名】全文
【補正方法】変更
【補正の内容】
【実用新案登録請求の範囲】
【請求項１】
印鑑に突起部を設けた形状を形成することにより、押印時、親指と人差指、中指で印鑑を保持したときに人差指と中指で突起部を挟む事により印鑑の傾きを固定することが出来、人差指が突起部の上にくることにより印鑑を垂直に押すことが出来ることを特徴とする印鑑の形状
【請求項２】
前記印鑑に突起部材を挿入する穴を設け、端部に挿入用の棒材を設けた突起部材を挿入して接着又はねじ止めにより固定した請求項１記載の印鑑の形状
【請求項３】
前記印鑑に、リング形状の一部に突起形状をつけた部品を印鑑にセットして、接着又はねじ止めにより固定した請求項１記載の印鑑の形状
【請求項４】
前記印鑑に前記突起部を収納する溝を有し、前記突起部を前期印鑑の溝に収納、突出出来る回転軸で保持した請求項１記載の印鑑の形状
(57)【要約】      （修正有）【課題】陳列什器に陳列された陳列品への照明とプライスカードへの照明を一つにできる照明装置を提供する。【解決手段】棚用照明装置６の裏にＬＥＤ光源１を設置、光源１の一部分光８は陳列品へ照らし、一部分光９は特定な形に曲がった導光板２の側面に入り、導光板２を点灯させ、透明な正面板７と導光板２の間に挟まれたプライスカードは導光板２の光により明るくできる。陳列品への分光８は陳列品を照らし、導光板への分光９はプライスカードを照らし、両方とも明るくできるようになる。【選択図】図３
0003225563.tif 000002
【実用新案登録請求の範囲】
【請求項１】
陳列什器に陳列される陳列品を照らす照明装置とプライスカード用レールを明るくする照明装置を一体化にする棚照明装置。
【請求項２】
前記照明装置は、導光板は変形し、光源から出た光の進行方向を変えて利用できるのは特徴とする請求項１に記載の棚照明装置。
【考案の詳細な説明】
【技術分野】
【０００１】本考案は、スーパーマーケットやドラッグストアにおいて、陳列什器に陳列される陳列品を照ら並びに定価等を告知するために用いられるプライスカード用レールを明るくする一体化照明装置である
【背景技術】
【０００２】従来から、スーパーマーケットやドラッグストアにおいて、ゴンドラ等の陳列棚に陳列品の定価等を告知するに際しては、特開２００１−２５８６９８号公報、実用新案登録第３０９５７１２号公報、実用新案登録第３０９６０２２号公報に記載されるようなプライスカード用のレールが用いられていた。【０００３】導光板ライトガイド方式のバックライトユニットが搭載された照明装置としては、例えば、図１に示すものが一般的に知られている。
【考案の概要】
【考案が解決しようとする課題】
【０００４】陳列品への照明とプライスカードへの照明を一体化にできるような設計光は直進である特徴で、陳列什器の陳列品を照らすために光源が陳列品の真上または斜め上に置く、但しプライスカード用レールは陳列棚の真正面、照らせるために真正面または斜め正面の所に光源が必要。上記２つ照明は一つにできるような設計は課題です。【０００５】導光板の形状及び光源との位置
導光板はどのような形状、光源と接近位置をどのようにすれば光を有効利用できること。【０００６】光源の発光角度と発光強度の選択
発光角度が小さすぎると光源からの光が陳列品しか照らせない、または導光板が吸収する光も少ないため導光板が暗くなる、逆に発光角度が大きすぎると光源からの光が分散され、しっかり陳列品に照らせない。なお光源の功率大きいほど発熱が大きいから、放熱に負担かけ過ぎて放熱機能が足りなくなり製品の寿命にも影響する。【０００７】そこで、本考案は、陳列什器に装着し易い金具が開発するとの課題である。
【課題を解決するための手段】
【０００８】図２、図３、図５のように、棚用照明装置６の裏にＬＥＤ光源１を設置、光源１は発光角度が大きなＬＥＤ光源であり、メインの光線８は下にある陳列品を照らし、副次な光源９は陳列棚へ照らせない、導光板２は特定な形に曲がりして、導光板２の側面と光源１に近付きることで、光線９を導光板の側面に入ることにより、導光板を点灯させ、導光板全体を発光できるような手段。【０００９】請求項２の考案の導光板が曲がりして、光源に近づき、光源の一部光を導光板に点灯できることを特徴とする。【００１０】発光角度１００度前後の光源を選定する；発光輝度は照らす陳列品により調整する【００１１】従来の陳列什器構造と合わせて取り付けしやくする設計する。
【考案の効果】
【００１２】本考案は陳列什器の陳列品における、照明装置が一体化をして、ＬＥＤ照明素子の光が導光板の利用により、陳列品とプライスカード用レールを両方鮮明に目立ち強調できる効果。【００１３】省エネできる効果
従来のように陳列品への照明とプライスへの照明は別々の光源が必要なくなり、省エネになる
【図面の簡単な説明】
【００１４】
【図１】ライトガイド方式
【図２】本考案のプライスレールの実施例を説明するため図面
【図３】本考案のプライスレールの断面図
【図４】本考案のプライスレールの正面図
【図５】本考案のプライスレールの断面図
【図６】本考案のプライスレールの実施例
【産業上の利用可能性】
【００１５】スーパーマーケット
コンビニエンス・ストア
ドラッグストア
等ほとんど陳列什器に適用できる。
【符号の説明】
【００１６】１，光源
２，導光板
３，陳列品
４，棚の板
５，金具
６，棚照明装置全体
７，正面板
８，陳列品への光
９，導光板への光
１０，棚全体
１１，地面
【図１】
0003225563.tif 000003
【図２】
0003225563.tif 000004
【図３】
0003225563.tif 000005
【図４】
0003225563.tif 000006
【図５】
0003225563.tif 000007
【図６】
0003225563.tif 000008
【手続補正書】
【提出日】令和1年12月25日(2019.12.25)
【手続補正１】
【補正対象書類名】実用新案登録請求の範囲
【補正対象項目名】全文
【補正方法】変更
【補正の内容】
【実用新案登録請求の範囲】
【請求項１】
陳列什器（１０）の棚（４）に設けられたプライスカードと前記棚（４）の下段にある陳列品（３）を明るくする光源（１）を備えた照明器具であって、前記光源（１）の近方に導光板（２）の端部を配置し、前記光源（１）の導光板（２）への光（９）を前記導光板（２）の端部に入射させ、前記導光板（２）の上に載せたプライスカードを明るくし、また前記光源（１）の前記陳列品（３）への光（８）は前記下段にある棚（４）の前記陳列品（３）を照らすことを特徴とする照明器具。
【請求項２】
前記導光板（２）の端部の形状が変更可能なことを特徴とする請求項１記載の照明器具。
(57)【要約】      （修正有）【課題】個々の食品に含まれる栄養素とその効能について、消費者が買物先で容易に把握できるラベルを提供する。【解決手段】表題１、食品名２、食品個々に含まれる栄養素とその効能３をラベルに記し、食品を収納した袋や箱に貼りつける。また、個々の袋や箱に印刷しても良い。更に、量り売りなどの陳列売場においては、個々の食品の近傍に栄養素と効能を表示してもよい。【選択図】図１
0003225570.tif 000002
【実用新案登録請求の範囲】
【請求項１】
図１の如く各食品に含まれる「栄養素と効能」をラベルに表示し、食品売場に置かれた当該食品の収納袋或いは収納箱に貼り付ける。
【請求項２】
図１の如く各食品に含まれる「栄養素と効用」を、食品売場に置かれた当該食品の収納袋或いは収納箱に印刷する。
【請求項３】
食品を陳列棚に並べて販売する場合、各食品に含まれる「栄養素と効能」を当該食品の近傍に表示する。
【考案の詳細な説明】
【技術分野】
【０００１】  野菜・果物・山野草・魚・肉などを売る商業分野に適応する。
【背景技術】
【０００２】  食品の栄養素と効能については種々の書物やインターネット上に示されており、消費者は自宅など食品売場以外において知識を得ることができる。
【先行技術文献】
【０００３】  インターネットの一例を示す。
「野菜の効能」を検索すると、「いちじくの志田ファーム」に食品の栄養素と効能一覧表が記載されている。
【考案の梗概】
【考案が解決しようとする課題】
【０００４】  従来は消費者が書物なり、インターネットにより食品の栄養素や効能を把握する状況であったため、個々の食品に含まれる栄養素やその効能を確実に把握した買い物が困難であった。
【課題を解決するための手段】
【０００５】  図１の如く個々の食品に含まれる栄養素と効能を、食品売場において当該食品に表示する。
【考案の効果】
【０００６】  売り場にある個々の食品に栄養素と効能を表示することにより、消費者が当該食品に含まれる栄養素とその効能を確実に把握して購入することが出来る。
そのため、食品の栄養素と効能について消費者が理解を深めると共に、自分の求める食品の購入が可能となるため、自分及び家族の健康維持及び健康増進に貢献できる。
【０００７】  図２の如く個々の食品における特徴を付記することにより、生産者側の宣伝効果を高めると共に消費者がその食品に対する愛着を持つことが出来る。
【０００８】  図３の如く生産者を感じることが出来る表現を加えることにより、消費者が安心感と親しみを覚えて継続して購入することが期待できる。
【図面の簡単な説明】
【図１】個々の食品に含まれる「栄養素とその効能」の表示例を示す。
【図２】図１に加え、食品の特徴などを記す具体例を示す。
【図３】図１に加え、食品の生産者を表現した例を示す。
【図４】図１に、図２・図３の内容を加えた例を示す。
【考案を実施するための形態】
【０００９】  産地直売店やスーパーマーケットの食品売場において、個々の袋・箱に本考案の記載内容を表示したラベルを張るか、又は袋や箱に直接印刷するなどの方法により表示する。
尚、現状の産地直売店においては、価格・生産者氏名を表示したラベルを添付している。
【００１０】  量り売り或いは陳列棚に並べて売る場合は、個々の食品の近傍にそれぞれの栄養素と効能を表示する。
【実施例】
【００１１】  以下、添付図面に従って一実施例を説明する。１は本考案をアピールできる表題を示し、２は食品の名前を示す。３は当該食品の栄養素とその効能を列記したものである。【００１２】  ４は食品の特徴、例えばその食品に関する格言とか由来或いは栄養素における特異な点などを示すことにより、消費者に対する当該食品の宣伝効果を高めることが出来る。５は表題に生産者の特徴を表示し、消費者が当該食品の生産者に対する親しみや愛着を持つことが出来る。
【産業上の利用可能性】
【００１３】  宇宙食など特殊環境において当該表示を採用することにより、これらの環境にマッチした食品を認識しながら食事を摂るため、自分の健康管理に有効である。
【符号の説明】
【００１４】    １  表示の題名
２  食品の名前
３  食品に含まれる栄養素と効能及び注意事項など
４  食品の特徴を表す言葉或いは簡単な文
５  食品の生産者の特徴
【図１】
0003225570.tif 000003
【図２】
0003225570.tif 000004
【図３】
0003225570.tif 000005
【図４】
0003225570.tif 000006
【手続補正書】
【提出日】令和1年12月19日(2019.12.19)
【手続補正１】
【補正対象書類名】実用新案登録請求の範囲
【補正対象項目名】全文
【補正方法】変更
【補正の内容】
【実用新案登録請求の範囲】
【請求項１】
店頭あるいは通信手段によって販売する野菜や果物などの食品を収納する場合、「野菜や果物などの食品名を記載し、次に当該食品に含まれる栄養素と各栄養素に関わる効能を並べて記載」し、食品の収納物である袋や箱に貼ることを特徴とするラベル。
(57)【要約】      （修正有）【課題】携帯上の利便性に優れ且つ、特別なテクニックを要さずに簡易に仕上がりを軽妙に演出できる多色口紅ケースを提供する。【解決手段】多色スティック口紅ケースは、円柱形ケース本体１０１のそこから下部を突出する回転筒１０２を回して円柱形ケース本体１０１内の棒状の口紅２００を回転させながら所定量上昇移動させて使用に供する。棒状の口紅２００は、円柱形ケース本体１０１の円周方向に複数の色区分３０１〜３０４し、その色区分２０１〜２０４ごとに色が異なるスティック口紅２０１〜２０４を収容して構成される。【選択図】図１
0003225577.tif 000002
【実用新案登録請求の範囲】
【請求項１】
スティック状の口紅を筒内に収容し回転させながら所定量上昇移動させて使用に供するスティック式の口紅ケースにおいて、前記スティック状の口紅はその周方向に又は半径方向に複数区分し、その区分ごとに色が異なるスティック口紅を収容したことを特徴とする多色スティック口紅ケース。
【考案の詳細な説明】
【技術分野】
【０００１】  本考案は特別なテクニックを要さずに簡易に若々しく仕上がりを演出できる多色口紅ケースに関する。
【背景技術】
【０００２】  女性の御化粧では、口唇の印象を美しく、あるいは若々しく演出するために様々な口紅ケースが開発されている。【０００３】  その一つは伝統的なスティック式の口紅ケースである。この口紅ケースは、そこ部を回してケース内の棒状の口紅を回転させながら所定量上昇移動させて使用に供する。
このような口紅ケースは体積が小さく携帯に便利であるが、一つの口紅ケースに通常一色の棒状口紅した収容できない。このため異なる色の口紅を使用する場合は、それぞれ色ごとの口紅ケースを購入している。特に外出する時は途中に口紅色を変える場合に備えて使用予定の色の数の口紅ケースを携帯しなければならず甚だ不便である。【０００４】  他の種類の口紅ケースはパレット式の口紅ケースである。このパレット式口紅ケースは、一般の白粉ケースと同じであり、パレットケース内が格子状に区切られて複数の平面収容部が形成され、各一つの収容部に一種類の色の口紅を収容して多色の口紅ケースを成している。
口紅を塗る時には紅筆で好みの色の口紅を収容した平面収容部から取って唇に塗る。
このパレット式口紅ケースは、多種類の色の口紅を自由に選択使用できるが、パレット自体が比較的大きく前記スティック式の口紅ケースに比して軽妙さと携帯上の利便性に問題がある。
【考案の概要】
【考案が解決しようとする課題】
【０００５】  本考案は、かかる事情に鑑みてなされたものであり、その目的は、携帯上の利便性に優れ且つ、特別なテクニックを要さずに簡易に仕上がりを軽妙に演出できる多色口紅ケースを提供するものである。
【課題を解決するための手段】
【０００６】  本考案は前記の課題を満足するものであり、その技術的特徴は次の（１）の通りである。
【考案の効果】（１）、スティック状の口紅を筒内に収容し回転させながら所定量上昇移動させて使用に供するスティック式の口紅ケースにおいて、前記スティック状の口紅はその周方向に又は半径方向に複数区分し、その区分ごとに色が異なるスティック口紅を収容したことを特徴とする多色スティック口紅ケース。
【図面の簡単な説明】
【０００７】
【図１】本考案の多色スティック口紅ケースの実施例を示す説明図であり、（１）は正面説明図、（２）は（１）の矢視Ａ−Ａからの横断面説明図である。
【図２】他の実施例を示す説明図であり、（１）は正面説明図、（２）は（１）の矢視Ｂ−Ｂからの横断面説明図である。
【考案を実施するための態様】
【０００８】  本考案の実施態様は、図１と図２に示す各実施例により詳細に説明する。
【実施例】
【０００９】  図１の（１）と（２）において、本例の多色スティック口紅ケースは、円柱形ケース本体１０１のそこから下部を突出する回転筒１０２を回して円柱形ケース本体１０１内の棒状の口紅２００を回転させながら所定量上昇移動させて使用に供する。
棒状の口紅２００は、円柱形ケース本体１０１の円周方向に複数の色区分３０１〜３０４し、その色区分２０１〜２０４ごとに色が異なるスティック口紅２０１〜２０４を収容して構成される。
因みにスティック口紅２０１〜２０４の配色は、スティック口紅２０１は純紅（赤）色、スティック口紅２０２は薄紅（赤）色、スティック口紅２０３は桃色、スティック口紅２０４は薄紫色にするなど時と場所と状況に応じた好みの選色で口紅をさすことが出来る。また色々の混色（グラディーション）が得られる配色にして、楽しむことが出来る優れた作用効果がある。
ケース本体１０１は円柱形の例を示したがこの形状に拘らない。例えば四角筒、互角筒、六角筒等の多角筒にするなどそのデザインは自由である。【００１０】  図２の（１）と（２）において、本例の多色スティック口紅ケースは、円柱形ケース本体１０１のそこから下部を突出する回転筒１０２を回して円柱形ケース本体１０１内の棒状の口紅４００を回転させながら所定量上昇移動させて使用に供する。
棒状の口紅４００は、円柱形ケース本体１０１の半径方向にその中心部の棒状を除いて複数の輪状の色区分４０１〜４０３をし、その色区分４０１〜２０３ごとに色が異なる輪状のスティック口紅５０１〜５０３を収容して構成される。
因みにスティック口紅５０１〜５０３の配色は、中心部のスティック口紅４０１は純紅（赤）色、輪状のスティック口紅４０２は薄紅（赤）色、輪状のスティック口紅４０３は純紅（赤）色にして下唇にはスティック口紅４０３とスティック口紅４０２で紅をさし、上唇にはスティック口紅４０１とスティック口紅４０２で紅をさして、各々唇の縁部を濃くし内部を薄くして塗るなど、時と場所と状況に応じた好みの選色で口紅をさすことが出来る。また斜めにして色々の混色（グラディーション）が得られる配色にして、楽しむことが出来る優れた作用効果がある。
ケース本体１０１は円柱形の例を示したがこの形状に拘らない。例えば四角筒、互角筒、六角筒等の多角筒にするなどそのデザインは自由である。
【産業上の利用可能性】
【００１０】  本考案は、前述の作用効果及び実施例に記述の作用効果が得られる優れものであり、一般の女性の必携品として是非お勧めできる多色スティック口紅ケースであり、また化粧品業界に貢献すること多大なものがある。
【符号の説明】
【００１１】  １０１：円柱形ケース本体
１０２：回転筒
２００：棒状の口紅
３０１〜３０４：色区分
２０１〜２０４：スティック口紅
４００：口紅
４０１〜４０３：色区分
５０１〜５０３：スティック口紅
【図１】
0003225577.tif 000003
【図２】
0003225577.tif 000004
(57)【要約】      （修正有）【課題】取り付けをシンプルにする電子サイドミラーシステムを提供する。【解決手段】自動車両側のフロントドアまたはフロントフェンダへ設置するカメラ１から出た配線コードの端子１ａをＡピラー付近に設置するモニター２から出た配線コードの端子２ａに挿し込んで接続する。そして、モニター２から出た電源コードの端子２ｂをシガー電源コードの端子３ａに挿し込んで接続する。シガー電源コードのプラグ３ｂはシガーソケットに挿し込む。【選択図】図１
0003225526.tif 000002
【実用新案登録請求の範囲】
【請求項１】
自動車両側のフロントドアまたはフロントフェンダに取り付けるサイドカメラと前記自動車の車内に取り付けるモニター装置、前記モニター装置と前記自動車の車内にあるシガーソケットに繋ぐシガー電源コードは、相互接続する構造を有する電子サイドミラーシステム。
【考案の詳細な説明】
【技術分野】
【０００１】  本考案は、電子サイドミラーに必要なサイドカメラ、モニターと電源コードを簡単に設置できるようなシステム構成に関するものである。
【背景技術】
【０００２】  電子サイドミラーを取り付けるためには、車の構造や車の内部から電源を取る方法などに対して一定の知識がないと、なかなか取り付けることができないのは現実である。カメラ、モニター、そして電源コードをもっと簡単に接続できる仕組みが必要になってくる。
【特許文献】
【０００３】
【非特許文献】
【０００４】
【考案の概要】
【考案が解決しようとする課題】
【０００５】  今までの電子サイドミラーまたはサイドカメラの取り付けには、カメラとモニターを接続するために、ドアグロメットに穴を開けたり、サイドミラーやドアの内部空間に配線を繋げたりする作業が必要であった。そして、車の内部から電源を取る作業も車に詳しくない方がなかなかできないのは現実である。その結果、それらの作業を専門業者に頼まざるを得ないことになっている。これは利用者にとって、時間的にも、経済的にも大きな負担となり、多くの方はドアミラー補助用の電子サイドミラーまたはサイドカメラの設置を諦めることになる。従って、取り付け作業をいかにシンプルにすることは本考案が解決しようとする課題である。
【課題を解決するための手段】
【０００６】  まず、車体両側のドアミラーに近い場所に設置するカメラから出た配線コードの端子をＡピラー付近に設置するモニターから出た配線コードの端子に挿し込んで接続する。そして、上記モニターから出た電源コードの端子をシガー電源コードの端子に挿し込んで接続する。シガー電源コードのプラグはシガーソケットに挿し込むことで接続完了。
【考案の効果】
【０００７】  上述の様に、車の専門業者でなくとも、簡単に電子サイドミラーまたはサイドカメラを短時間で取り付けることを可能にした。それによって、電子サイドミラーまたはサイドカメラをつける利用者が増え、車の両サイドの死角による事故の削減に役立つ。
【図面の簡単な説明】
【０００８】
【図１】本考案の電子サイドミラーシステムの基本構成図。
【図１】
0003225526.tif 000003
(57)【要約】      （修正有）【課題】スポークの形状に関係なく、全ての自転車のスポークのサイズに確実に適応できるスポーク用反射材を提供する。【解決手段】自転車のスポーク部分４に取り付ける接着部と、接着部の裏面の表面に反射材を施した反射部からなることを特徴とするスポーク用反射材。【選択図】図３
0003225529.tif 000002
【実用新案登録請求の範囲】
【請求項１】
自転車のスポーク部分に取り付ける接着部と、接着部を裏面にし、表面に反射材を施した反射部からなることを特徴とするスポーク用反射材。
【請求項２】
１本のスポーク部分に接着させることができることを特徴とする請求項１に記載のスポーク用反射材。
【請求項３】
スポーク部分に取り付けることを目的とし、表面に反射材を施した軟質材のシート中央部にウェルダー加工線と抜き加工を施したスポーク用反射材
【考案の詳細な説明】
【技術分野】
【０００１】本考案は、自転車のスポークに取り付ける反射材に関する。
【背景技術】
【０００２】従来のスポーク用反射材は、複数本のスポークに渡って平板状の反射材を取り付けるものや、筒状体をしておりスリットを設けて各スポークに取り付けるものがあった。【０００３】しかしながら、従来の平板状の反射材では、複数のスポークを前後から挟んでネジ留め等により固定するものであり、取付けが面倒であった。【０００４】また、スポークの形状、太さによっては取り付けができないものもある。
【考案の概要】
【考案が解決しようとする課題】
【０００５】全ての自転車のスポークのサイズに確実に適応できるサイクルリフレクターを提案する。
【課題を解決するための手段】
【０００６】サイクルリフレクターは、表面に反射材を施した軟質材のシートと自転車のスポーク部分に取り付ける接着部からなることを特徴とするスポーク用反射材の構成とした。【０００７】１本のスポーク部分に簡単に接着させることができることを特徴とする請求項１に記載のスポーク用反射材。【０００８】スポーク部分に取り付けることを目的とし、本体中央部にウェルダー加工線と抜き加工を施したスポーク用反射材
【考案の効果】
【０００９】スポーク上の任意の場所に取り付けることができるため、反射材が光を反射する際に不規則な動きで光りを反射し、ドライバーを始めとする周囲の者に対して自分の存在を効果的に認識させることが出来る。【００１０】さらに、複数のスポーク用反射材を取り付けることが出来るため、より不規則な光の反射をさせることができ、取り付けた後でも、簡単に取り外すことができる。
【考案を実施するための最良の形態】
【００１１】本考案は、本体中央部にウェルダー加工線と抜き加工を形成することで、スポークへの接着を容易にできるようにしたものである。
【図面の簡単な説明】
【００１２】
【図１】本考案であるスポーク用反射材の正面図である。
【図２】本考案であるスポーク用反射材の背面図である。
【図３】本考案であるスポーク用反射材の使用状態を示した図である。
【図４】接着面を１枚にて形成する実施例の形成工程を示す説明図
【考案を実施するための形態】
【００１３】図１は本考案であるスポーク用反射材の正面図、図２はスポーク用反射材の背面図、図３はスポーク用反射材の使用状態を示した図、図４は実施例の正面図である。
【００１４】図１から図４に示すように、本考案であるスポーク用反射材は、本体中央部にウェルダー加工線１ａと抜き加工１ｂを設けた。
【００１５】図４が示すように、スポークを中央にして、ウェルダー加工線に沿って半分に折り重ねる。
【００１６】前記反射材にイラスト、文字を施したデザインの反射材ではなく、キャラクター、動物等の他のデザインを施してもよい。
【産業上の利用可能性】
【００１７】  本考案であるスポーク用反射材は、光の反射により、効果的に注意を促すことが出来るため安全に自転車を運転することができ、交通事故を抑制することが期待できる。
【符号の説明】
【００１８】１    スポーク用反射材
１ａ  スポーク用反射材  ウェルダー加工線
１ｂ  スポーク用反射材  抜き加工
２    反射部
３    接着部
４    スポーク
４ａ  タイヤ
【図１】
0003225529.tif 000003
【図２】
0003225529.tif 000004
【図３】
0003225529.tif 000005
【図４】
0003225529.tif 000006
【手続補正書】
【提出日】令和1年12月16日(2019.12.16)
【手続補正１】
【補正対象書類名】実用新案登録請求の範囲
【補正対象項目名】全文
【補正方法】変更
【補正の内容】
【実用新案登録請求の範囲】
【請求項１】
自転車のスポーク部分に取り付ける接着部と、接着部の裏面の表面に反射材を施した反射部からなることを特徴とするスポーク用反射材。
【請求項２】
１本のスポーク部分に接着させることができることを特徴とする請求項１に記載のスポーク用反射材。
【請求項３】
スポーク部分に取り付けることを目的とし、表面に反射材を施した軟質材のシート中央部にウェルダー加工線と抜き加工を施したことを特徴とする請求項１又は２に記載のスポーク用反射材。